(57)【特許請求の範囲】
【請求項１】
排水溝から流れ込む排水を貯えるポンプ井に設けられ、当該ポンプ井に貯えられている水の水位を検出する水位検出電極ユニットにおいて、
本体部と、
前記本体部から突出し、基準となる電位が印加される基準電極棒と、
前記基準電極棒と平行に前記本体部から突出し、少なくとも前記ポンプ井における最も高い水位となる最高水位に対応する最高水位検出電極棒を有し、前記ポンプ井における水位に応じて前記本体部からの長さが設定され、前記ポンプ井に貯えられた水を通して前記基準電極棒と導通することにより、前記ポンプ井の水位を検出する水位検出電極棒と、
前記最高水位検出電極棒から分岐し、前記最高水位検出電極棒と反対側の端部が前記ポンプ井に接続する前記排水溝において予め設定されている危険水位に対応する位置へ挿入可能な分岐電極棒と、
を備える水位検出電極ユニット。
【請求項２】
底部、および前記底部から上方へ立ち上がり前記排水溝の前記ポンプ井側の端部である
排水口を形成する壁部を有し、前記底部と前記壁部とに囲まれている前記ポンプ井を形成するポンプ井外郭と、
前記ポンプ井外郭に取り付けられている請求項１記載の水位検出電極ユニットと、
前記排水口の前記底部側の端部から前記底部へ前記壁部に沿って設けられている導電部材と、
を備える水位検出装置。
【請求項３】
前記排水口の前記底部側に前記排水口とは垂直に開口する上端開口部、および前記上端開口部よりも前記底部側に前記上端開口部と平行に開口し前記上端開口部よりも開口面積が小さな下端開口部を有する漏斗状に形成され、前記排水口から排出された水を捕集する捕集部材と、
前記分岐電極棒から前記捕集部材の内側へ伸びる再分極電極棒と、
をさらに備える請求項２記載の水位検出装置。
【請求項４】
前記捕集部材に設けられ、前記捕集部材を経由して前記ポンプ井へ流入する水の流量を調整する流量調整弁をさらに備える請求項３記載の水位検出装置。
【請求項５】
前記捕集部材の上方において、前記上端開口部を挟んで前記排水口と反対側に設けられ、前記排水口から排出された水を前記上端開口部へ導く案内壁をさらに備える請求項３または４記載の水位検出装置。
【請求項６】
前記捕集部材の前記下端開口部に接続し、前記下端開口部と反対側の端部が前記底部近傍に位置する導電性の管部材をさらに備える請求項５記載の水位検出装置。
【請求項７】
請求項２から請求項６のいずれか一項記載の水位検出装置と、
前記ポンプ井に収容されている排水ポンプと、
前記水位検出装置で検出した前記ポンプ井の水位に基づいて前記排水ポンプの駆動を制御する制御装置と、
を備える排水システム。
【発明の詳細な説明】
【技術分野】
【０００１】
本発明の実施形態は、水位検出電極ユニット及び水位検出装置に関する。
【背景技術】
【０００２】
従来、降水時に不意に発生した浸水や地下水位の上昇により、地下建築体の亀裂などからの急激な水の流入（以下、急激な増水時とする）などによって排水溝に流入する排水は、ポンプ井に流れ込んで貯えられる。ポンプ井に貯えられた排水は、ポンプ井の底面に設けられた排水ポンプによって揚水されて外部へ排出される。その後、排水は河川などへ排出される。これにより、地下の電気設備などは、浸水や冠水から保護されている。
【０００３】
ポンプ井には、水位検出装置が設けられている。ポンプ井に貯えられている水の水位は、水位検出装置による排水ポンプの自動運転により制御されている。例えば、ポンプ井の水位が上昇して、予め設定された起動水位になると、排水ポンプが起動する。その後、水位が低下して停止水位になると、排水ポンプが停止するようになっている（例えば特許文献１，２参照）。
【先行技術文献】
【特許文献】
【０００４】
【特許文献１】特開平６−１９３５８４号公報
【特許文献２】特開２００１−２７１８３号公報
【発明の概要】
【発明が解決しようとする課題】
【０００５】
上記した構成の水位検出装置では、急激な増水によって短時間に多量の排水がポンプ井内に流れ込むことで、起動水位に達した後に排水ポンプを起動して排水しても、ポンプ井が満水になるまでに水位の上昇を抑えることが不十分で、下水道や排水溝が満杯になったり、地下設備を浸水や冠水させたりするおそれがある。
そこで、簡単な構成で、短時間での急激な増水時においてもポンプ井の水位の上昇を抑制し、地下設備の浸水や冠水を回避できる水位検出電極ユニット及び水位検出装置を提供する。
【課題を解決するための手段】
【０００６】
本実施形態の水位検出電極ユニットは、排水溝から流れ込む排水を貯えるポンプ井に設けられ、当該ポンプ井に貯えられている水の水位を検出する。水位検出電極ユニットは、本体部と、基準電極棒と、水位検出電極棒と、分岐電極棒とを備える。基準電極棒は、前記本体部から突出し、基準となる電位が印加される。水位検出電極棒は、前記基準電極棒と平行に前記本体部から突出し、少なくとも前記ポンプ井における最も高い水位となる最高水位に対応する最高水位検出電極棒を有し、前記ポンプ井における水位に応じて前記本体部からの長さが設定され、前記ポンプ井に貯えられた水を通して前記基準電極棒と導通することにより、前記ポンプ井の水位を検出する。分岐電極棒は、前記最高水位検出電極棒から分岐し、前記最高水位検出電極棒と反対側の端部が前記ポンプ井に接続する前記排水溝において予め設定されている危険水位に対応する位置へ挿入可能である。
【図面の簡単な説明】
【０００７】
【図１】第１の実施形態を示す水位検出装置を備えた排水システムの概略図
【図２】水位検出装置の周辺を拡大した概略図
【図３】第２の実施形態を示す図２相当図
【図４】第３の実施形態を示す図２相当図
【図５】第４の実施形態を示す図２相当図
【図６】第５の実施形態を示す図２相当図
【図７】第６の実施形態を示す図２相当図
【発明を実施するための形態】
【０００８】
以下、水位検出装置を適用した排水システムの複数の実施形態を図面に基づいて説明する。なお、複数の実施形態で共通する部位には同一の符号を付し、その説明を省略する。
［第１の実施形態］
第１の実施形態の水位検出装置を備えた排水システムについて図１及び図２を参照して説明する。
図１に示すように、第１の実施形態の排水システム１は、水位検出装置２及び排水ポンプ３を備えている。水位検出装置２及び排水ポンプ３は、矩形箱状のポンプ井４内に収容される。急激な増水時の排水は、地下床面に深堀りされたポンプ井４に接続する排水溝５をポンプ井４へ向かって流れる。この排水は、矢印Ａに示すように、排水溝５の出口である排水口６からポンプ井４内に流れ込む。そして、排水は、ポンプ井４内に蓄えられる。
【０００９】
排水ポンプ３は、ポンプ井４の底部に固定されている。排水ポンプ３は、ポンプ井４の水位が所定の水位に達すると、ポンプ井４内に蓄えられた水を揚水して、吐出管７から外部へ排出する。その後、排水は河川などへ排出される。これにより、排水ポンプ３の駆動装置などの地下に設けられた電気設備は、浸水や冠水から保護される。
【００１０】
ポンプ井４は、ポンプ井外郭８を構成する底部８ａと、底部８ａから上方へ立ち上がる壁部８ｂとに囲まれている。この壁部８ｂの上部には、排水口６が形成されている。排水溝５からの排水は、壁部８ｂに沿ってポンプ井４内に流れ込む。ポンプ井外郭８は、地下床面より低く深堀りされて、例えば、コンクリートなどにより箱状に形成される。
【００１１】
水位検出装置２は、ポンプ井外郭８と、水位検出電極ユニット９とから構成されている。水位検出電極ユニット９は、ポンプ井外郭８に取り付けられている。水位検出装置２は、水位検出電極ユニット９をポンプ井４に装着することで簡単に使用できる。水位検出電極ユニット９は、本体部１０、基準電極棒１１、及び複数の水位検出電極棒１２〜１５を備える。基準電極棒１１は、本体部１０から突出している。また、水位検出電極棒１２〜１５も、基準電極棒１１とほぼ平行に本体部１０から突出している。これら基準電極棒１１及び水位検出電極棒１２〜１５は、例えばステンレス鋼により形成されている。
【００１２】
水位検出電極棒１２〜１５は、ポンプ井４における水位に応じて前記本体部１０からの長さが設定されている。本実施形態では、水位ＬＬ、水位Ｌ、水位Ｈ、水位ＨＨの４つの水位が設定されている。水位検出電極棒１２は、排水ポンプ３の起動禁止用電極であり、起動禁止水位ＬＬを検出する。水位検出電極棒１３は、排水ポンプ３の停止用電極であり、停止水位Ｌを検出する。水位検出電極棒１４は、排水ポンプ３の起動用電極であり、起動水位Ｈを検出する。水位検出電極棒１５（最高水位検出電極棒）は、異常警報用電極であり、ポンプ井４における最も高い水位となる最高水位ＨＨを検出する。
【００１３】
また、基準電極棒１１は、水位検出電極棒１２〜１５の共通電極棒であり、基準電極棒１１の下端は、水位検出電極棒１２〜１５の下端より低く設定されている。基準電極棒１１には、基準となる電位が印加される。上記した所定の水位に達して、液面が水位検出電極棒１２〜１５の先端部に接触すると、水位検出電極棒１２〜１５と基準電極棒１１とが、ポンプ井４に貯えられた水を通して導通する。この導通によって、ポンプ井４の水位は検出される。
【００１４】
分岐電極棒１６は、最高水位検出電極棒１５から分岐している。この分岐電極棒１６の端部が、排水溝５に挿入される。排水溝５の底面から所定の高さＨＨ´に、分岐電極棒１６の端部は位置する。この高さＨＨ´は、排水溝５へ流れ込む排水の流量が、排水ポンプ３の揚水排出能力を超過して、放置するとポンプ井４を満水させる可能性がある場合の危険水位として設定されている。
【００１５】
また、水位検出装置２の本体部１０には、当該水位検出装置２で検出したポンプ井４の水位に基づいて、前記排水ポンプ３の駆動を制御する図示しない制御装置が設けられている。水位検出装置２と排水ポンプ３は、電源ケーブル１７によって接続される。この電源ケーブル１７を介して、排水ポンプ３へ電力が供給される。制御装置は、排水ポンプ３を駆動制御し、排水システム１を制御及び監視するための図示しない監視盤に信号を送り出す。
【００１６】
上記した水位検出装置２を備えた排水システム１において、降水時などに発生した排水が排水溝５へ流れ込み、続いて排水がポンプ井４内に流れ込むと、ポンプ井４の水位が上昇する。そして、図１及び図２に示す起動水位Ｈに達すると、水位検出電極棒１４と基準電極棒１１とはポンプ井４に貯えられた水を通して導通する。この導通によって、制御装置に起動水位Ｈを検出したことを示す検出信号が送られる。制御装置は、水位検出装置２から検出信号を受け取ると、排水ポンプ３を起動させる。
【００１７】
水位の上昇速度が比較的遅いときには、排水ポンプ３が駆動されてポンプ井４内の水が吐出管７から外部へ排出されることに伴って、ポンプ井４の水位は低下していく。水位が低下していき、停止水位Ｌに達すると、水位検出電極棒１３が停止水位Ｌを検出して、制御装置は排水ポンプ３を停止する。このように、通常は、矢印Ｂに示す範囲内で、排水ポンプ３の起動及び停止が繰り返される。これにより、ポンプ井４の水位は、自動制御される。
排水ポンプ３の冷却を図る目的や安全性の観点から、制御装置は、ポンプ井４の水位が停止水位Ｌより低下し、起動禁止水位ＬＬ未満であるとき、排水ポンプ３を起動させない。
【００１８】
ところで、集中豪雨などのように短時間での急激な増水が予想されるとき、水位Ｈに達した後に排水ポンプ３を起動させても、水位が十分に低下せず、水位が上昇を続けるおそれがある。従来の排水システムの場合、最高水位ＨＨに達すると、異常警報が発せられ、異常警報の知らせを受けた監視員が必要な処置を施すことになる。しかし、最高水位ＨＨに達してから必要な処置を施しても、急激な水位の上昇に対応することができず、ポンプ井４から水が溢れ、地下設備を浸水や冠水させたりするおそれがある。
【００１９】
そこで、本実施形態では、分岐電極棒１６で排水溝５の水位を検出している。これにより、制御装置は、排水溝５の水位が危険水位ＨＨ´に達したことを検出すると、異常警報を発すると共に、排水ポンプ３を起動させる。急激な増水時のように想定水量をはるかに超える排水がポンプ井４に流れ込む場合、前記壁部８ｂに沿って排水が連続して流れ落ちるので、排水溝５の分岐電極棒１６とポンプ井４の基準電極棒１１とが導通し、危険水位ＨＨ´が検出される。これにより、ポンプ井４の水位が最高水位ＨＨに達していなくても、排水溝５の水位が危険水位ＨＨ´に達すると、異常警報を発し、排水ポンプ３を起動すべき増水状態であることを検出することができる。
【００２０】
このような本実施形態の水位検出装置２を備えた排水システム１によれば、集中豪雨などの短時間での急激な増水時に、ポンプ井４に流入する水量が増しポンプ井４が満水になるおそれのある場合、排水溝５の危険水位ＨＨ´を分岐電極棒１６により検出している。これにより、異常警報を発すると共に、水位検出電極棒１４が起動水位Ｈを検出していなくても、排水ポンプ３が起動する。そのため、早い段階でポンプ井４から外部へ排水することができ、ポンプ井４の水位の上昇を抑制することができる。その結果、地下設備の浸水や冠水を回避することができ、信頼性を向上させることができる。
【００２１】
また、急激な増水時を想定して起動水位Ｈを低く設定しておく必要がない。そのため、起動水位Ｈと停止水位Ｌとの差を縮めることに伴う、排水ポンプ３が頻繁に起動及び停止を繰り返すことを防ぐことができる。
また、水位検出電極ユニット９をポンプ井４に装着するだけで、複雑な装置を必要とせず、簡単な構成で、コストを増大させることもなく、急激な増水時に対応できる水位検出装置２を使用することができる。
なお、ポンプ井４に施工スペースがあれば、分岐電極棒１６を単独に配設して、危険水位ＨＨ´を検出するようにしても良い。
【００２２】
［第２の実施形態］
図３に示すように、第２の実施形態においては、ポンプ井４の壁部８ｂに沿って板状の導電部材１８が設けられている。導電部材１８は、例えばステンレスやアルミニウムなどの導電性の部材から形成され、前記排水口６底端部の下方からポンプ井４の底部８ａへ上下に延びている。
【００２３】
排水溝５から排水がポンプ井４内へ流れ込むとき、導電部材１８に沿って排水が流れ落ちる。導電部材１８は、電気を通し易いので、排水溝５の水とポンプ井４内に貯えられた水との通電を補助する役割を果たす。
【００２４】
これにより、急激な増水時に排水溝５からの排水の流れが途中で分散して、排水溝５の水とポンプ井４内に蓄えられた水との導通が十分に行われない場合でも、導電部材１８を介して排水溝５の分岐電極棒１６とポンプ井４の基準電極棒１１が導通されるので、分岐電極棒１６における危険水位ＨＨ´の検出を確実に行うことができる。
【００２５】
［第３の実施形態］
図４に示すように、第３の実施形態においては、前記排水口６の底端部の下方に漏斗状の捕集部材１９が設けられている。捕集部材１９は、壁部８ｂに沿ってポンプ井４の底部８ａまで上下に延びている。さらに、前記分岐電極棒１６から捕集部材１９の内側へ伸びる再分岐電極棒２０が設けられている。再分岐電極棒２０の下端は、最高水位検出電極棒１５の下端より高く設定されている。
【００２６】
捕集部材１９は、排水口６から排出された水を捕集するためのものであり、例えば合成樹脂からなる。この捕集部材１９は、上端開口部１９ａと下端開口部１９ｂを有している。上端開口部１９ａは、排水口６の前記底部８ａ側に前記排水口６とは垂直に開口している。下端開口部１９ｂは、上端開口部１９ａよりも前記底部８ａ側に位置して上端開口部１９ａよりも開口面積が小さく、上端開口部１９ａと平行に開口している。前記排水溝５からの排水を、上端開口部１９ａが受ける。そして、水の流れは、捕集部材１９内を通ることで絞られ、下端開口部１９ｂから連続的に流れ落ちる。急激な増水時には、この捕集部材１９の上端開口部１９ａから下端開口部１９ｂまでが満水となるように口径寸法が設定されている。
【００２７】
これにより、排水溝５からの排水の流れが捕集部材１９内を通るように誘導されて、下端開口部１９ｂから流れを絞って排出することで、水の流れを連続的なものとすることができる。その結果、排水溝５の分岐電極棒１６とポンプ井４の基準電極棒１１との導通を確実にすることができる。さらに、急激な増水時には、捕集部材１９が満水となっているので、再分岐電極棒２０が基準電極棒１１と導通する。これによって、水位検出電極棒１４が起動水位Ｈを検出していなくても、排水ポンプ３を起動させて、ポンプ井４の水位の上昇を抑制し、早めにポンプ井４の排水を外部へ排出することができる。
【００２８】
［第４の実施形態］
図５に示すように、第４の実施形態においては、前記捕集部材１９の下部に流量調整弁２１が設けられている。この流量調整弁２１は、捕集部材１９を経由してポンプ井４へ流入する水の流量を調整するためのものである。
【００２９】
急激な増水時において、制御装置は、流量調整弁２１の開度を制御して、捕集部材１９内の水位を満水状態に維持する。すなわち、再分岐電極棒２０が浸水する水位に制御される。これにより、分岐電極棒１６及び再分岐電極棒２０とポンプ井４の基準電極棒１１との導通をより確実にすることができる。その結果、排水溝５の危険水位ＨＨ´の検出を確実に行うことができる。
なお、流量調整弁２１は、制御装置の制御に依らないで、増水時の捕集部材１９内の水位状況に合わせて、手操作するものであってもよい。
【００３０】
［第５の実施形態］
図６に示すように、第５の実施形態においては、前記捕集部材１９の上方に、上端開口部１９ａを挟んで前記排水口６と反対側に、案内壁２２を有する筒状の堰２３が設けられている。この案内壁２２及び堰２３は、排水口６から排出された水を上端開口部１９ａへ導くものである。堰２３の形状は、上面及び下面が開口しており、排水口６端面に比べて案内壁２２の高さが低く設定されている。
【００３１】
急激な増水時に、排水溝５からの勢いのある排水の流れは、案内壁２２に衝突し、捕集部材１９の上端開口部１９ａへ導かれる。このとき、上端開口部１９ａへ流入しなかった排水は、案内壁２２を乗り越えてポンプ井４へ流れ込むか、または堰２３の下面から落下する。このように堰２３は上面及び下面が開口しているので、排水の逆流が抑制される。
【００３２】
このような案内壁２２及び堰２３によって、排水溝５からの排水を堰き止め調整し、排水は捕集部材１９内に確実に誘導される。このため、分岐電極棒１６及び再分岐電極棒２０とポンプ井４の基準電極棒１１との導通をより確実にすることができる。
【００３３】
［第６の実施形態］
図７に示すように、第６の実施形態においては、前記捕集部材１９の下端開口部１９ｂに管部材である金属管２４を接続している。金属管２４は、例えばステンレスやアルミニウムなどの導電性の部材から形成され、上下に延びて、下端部がポンプ井４の底部８ａ近傍に位置している。
【００３４】
排水溝５からの排水は、上端開口部１９ａから捕集部材１９内に流れ込んで、金属管２４内を通って、ポンプ井４の底部８ａへと流れていく。これにより、上記した捕集部材１９の効果に加えて、金属管２４の導電性が活かされるので、分岐電極棒１６及び再分岐電極棒２０とポンプ井４の基準電極棒１１との導通をより一層確実にすることができる。
【００３５】
本発明のいくつかの実施形態を主に地下設置のポンプ井について説明したが、地下１階設置のポンプ井でも同様であるように、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。
例えば、水位検出電極棒は４本としたが、用途に応じて本数を適宜変更させても良い。
また、捕集部材１９は、漏斗状のものではなく、筒状のものでも良く、開口部は円形ではなく、例えば四角形でも良い。
これら実施形態やその変形は、発明の範囲や要旨に含まれるとともに、特許請求の範囲に記載された発明とその均等の範囲に含まれる。
【符号の説明】
【００３６】
図面中、１は排水システム、２は水位検出装置、３は排水ポンプ、４はポンプ井、５は排水溝、６は排水口、８はポンプ井外郭、８ａは底部、８ｂは壁部、９は水位検出電極ユニット、１０は本体部、１１は基準電極棒、１２〜１４は水位検出電極棒、１５は最高水位検出電極棒、１６は分岐電極棒、１８は導電部材、１９は捕集部材、１９ａは上端開口部、１９ｂは下端開口部、２０は再分岐電極棒、２１は流量調整弁、２２は案内壁、２４は金属管（管部材）を示す。
【図１】
0005422508.tif 000002
【図２】
0005422508.tif 000003
【図３】
0005422508.tif 000004
【図４】
0005422508.tif 000005
【図５】
0005422508.tif 000006
【図６】
0005422508.tif 000007
【図７】
0005422508.tif 000008